(57)【要約】【課題】第１に、上下掛け替えにより、多様な用途に使用可能であり、第２に、しかもこのような掛け替えが、簡単容易に違和感なくスムーズに実現可能な、眼鏡フレームを提案する。【解決手段】この眼鏡フレーム１は、左右のレンズＡ保持用リム２，テンプル３，鼻パット４、および両リム２間連結用のブリッジ５等を、備えている。レンズＡは、上部又は下部の小玉部分Ｂに配された度付きの近用視部Ｃと、度付き又は度無しの遠用視部Ｄと、からなる。そして、この眼鏡フレーム１は、上下を逆に反転使用可能であり、この眼鏡フレーム１を採用した１本の眼鏡Ｇは、眼鏡フレーム１による上下掛け替え装着により、レンズＡの近用視部Ｃを、上下反転使用可能となっている。もって、適宜必要に応じて掛け替えを実施することにより、多種多様な特殊用途，特殊作業，その他に使用可能である。【選択図】図１
2015232726.tif 000002
【特許請求の範囲】
【請求項１】
左右のレンズ保持用リム，テンプル，鼻パット、および該両リム間連結用のブリッジを備えた眼鏡フレームであって、
該レンズは、上部又は下部の小玉部分に配された度付きの近用視部と、度付きの遠用視部とからなり、該眼鏡フレームは、上下を逆に反転使用可能つまり上下掛け替え装着可能となっており、
掛け替え装着により、下部に位置した該レンズの近用視部にて、下位に位置する対象を視認可能であると共に、上部に位置した該レンズの遠用視部にて、上位に位置する対象を視認可能であり、
かつ掛け替え装着により、上部に位置した該レンズの近用視部にて、上位に位置する対象を視認可能であると共に、下部に位置した該レンズの遠用視部にて、下位に位置する対象を視認可能となっていること、を特徴とする眼鏡フレーム。
【請求項２】
請求項１において、該レンズは、度付きの遠用視部に換え、度無しの遠用視部が用いられていること、を特徴とする眼鏡フレーム。
【請求項３】
請求項１又は２において、該レンズは、近用視部と遠用視部について、両方が無色であるか、又は、いずれか一方が無色で他方が一色カラー付であるか、又は、両方が同一の一色カラー付であるか、又は、両方が異なるカラー付であること、を特徴とする眼鏡フレーム。
【請求項４】
請求項３において、一色カラーとは、色の濃度も同一であるものを示し、異なるカラーとは、同一色ではあるが色の濃度が異なるものも含むこと、を特徴とする眼鏡フレーム。
【請求項５】
請求項１又は２において、該テンプルは、該レンズ面に対する角度が、９０度プラスマイナス４度以内に設定されていること、を特徴とする眼鏡フレーム。
【請求項６】
請求項１又は２において、該鼻パットの取付け保持用のクリングス治具は、該レンズ面に対し、上下向きではなく左右向きに配設されていること、を特徴とする眼鏡フレーム。
【請求項７】
請求項１又は２において、該鼻パットの取付け保持用のクリングス治具が、先端に開口ボックスを備えており、該開口ボックス内に、該鼻パットの取付部分が挿入されてネジ止されるが、
該開口ボックスと該取付部分とは、前述したように該眼鏡フレームを上下逆に反転使用した際、掛け替え装着に違和感がなくスムーズにフィットするように、該鼻パットが、上下左右に自在に可動となる設定よりなり、
該開口ボックスと該取付部分について、両者間のクリアランスが十分に確保されると共に、両者の接触箇所にはアール加工が施されており、かつ該開口ボックスの深さ寸法が内径寸法より若干大きい程度の浅めよりなること、を特徴とする眼鏡フレーム。
【発明の詳細な説明】
【技術分野】
【０００１】
本発明は、眼鏡フレームに関する。すなわち、レンズの近用視部を上下反転使用可能な、眼鏡フレーム（ｅｙｅ  ｇｌａｓｓｅｓ  ｆｒａｍｅ）に関するものである。
【背景技術】
【０００２】
（１）近用視用眼鏡（度付きの老視用眼鏡）と、遠用視用眼鏡（度付の近視用眼鏡や遠視用眼鏡）とは、従来一般的には、個々別物の眼鏡として製造，販売，使用されている。
そして使用者は、必要に応じ２本の眼鏡を、その都度取り替え，掛け替え装着して使用している。
【０００３】
（２）これに対し、いわゆる遠近両用眼鏡も、昨今提供されている。
この眼鏡は、遠近両用累進レンズが用いられており、レンズ下部側を、近用視用として下位の対象を視認する際に使用し、レンズ上部側を、遠用視用として使用するようになっている。
もって使用者は、１本の眼鏡で、遠近両用に使用可能となっている。
【０００４】
（３）更に最近、次のような遠近両用レンズを用いた眼鏡も、開発，提供されている。  すなわちレンズが、下部小玉部分の度付きの近用視部と、度付き又は度無しの遠用視部とからなる眼鏡や、上部小玉部分の度付きの近用視部と、度付き又は度無しの遠用視部とからなる眼鏡も、開発，提供されている。
前者の眼鏡は、例えば、車輌の運転手用として使用されており、運転席前方下位のパネルに配された計器類を視認する際に、下部の近用視部が使用される。
後者の眼鏡は、例えば、航空機のパイロット用として使用されており、操縦席前方上位のパネルに配された計器類を視認する際に、上部の近用視部が使用される。
【先行技術文献】
【特許文献】
【０００５】
上述した（１）の眼鏡フレームとしては、例えば次の特許文献１に示されたものが挙げられる。
【特許文献１】特開平６−２０２０４８号公報
【発明の概要】
【発明が解決しようとする課題】
【０００６】
《問題点》
ところで、このような従来例については、次の課題が指摘されていた。
（１）上述した（１）の従来の一般例については、眼鏡の取り替え，掛け替えての装着が面倒で煩わしい、等の問題が指摘されていた。
すなわち使用者は、近用視用眼鏡と遠用視用眼鏡とを、個別に購入，準備すると共に、視認対象に応じ、眼鏡を取り替えて掛け替え装着することを要し、コスト負担増となると共に、面倒であり煩わしかった。
【０００７】
（２）これに対し、上述した（２）の遠近両用累進レンズを用いた眼鏡については、近用視用として上位に位置する対象を視認する用途には、使用困難である、という問題が指摘されていた。
すなわちこの眼鏡は、近用視用として、下位に位置する対象を視認する用途には使用できるが、上位に位置する対象は視認できなかった。
そこで眼鏡を、上下を逆に反転させ上下掛け替え装着することにより、近用視用をレンズ上部側として、上位に位置する対象を視認する用途に使用することも考えられた。
しかしながら、累進レンズが用いられているので、その場合、見え方が不自然になると共に、眼鏡フレームの構造上、うまくフィットせず見栄えも悪い、という問題が指摘されていた。
すなわち眼鏡フレームについて、例えば、テンプルのレンズ面に対する角度（９０度マイナス７度〜８度）や、鼻パットの配設位置や、鼻パットの姿勢等が、上下逆に掛け替えた際、不自然で違和感が大きくスムーズにフィットしなかった。
【０００８】
（３）又、上述した（３）の最近開発，提供されている、遠近両用レンズを用いた眼鏡については、前述した（１）の眼鏡と同様、眼鏡の取り替え，掛け替えが面倒であり煩わしい、等の問題が指摘されていた。
すなわち、上部が近用視部の眼鏡と、下部が近用視部の眼鏡とを、多くの場合、個別に準備することを要しコスト負担増となると共に、用途や視認対象に応じ、眼鏡を取り替えて掛け替え装着することを要していた。
【０００９】
《本発明について》
本発明の眼鏡フレームは、このような実情に鑑み、上記従来例の課題を解決すべくなされたものである。
そして本発明は、第１に、上下掛け替えにより、多様な用途に使用可能であり、第２に、しかも掛け替えが、簡単容易に違和感なくスムーズに実現可能な、眼鏡フレームを提案することを目的とする。
【課題を解決するための手段】
【００１０】
《各請求項について》
このような課題を解決する本発明の技術的手段は、特許請求の範囲に記載したように、次のとおりである。
請求項１については、次のとおり。
請求項１の眼鏡フレームは、左右のレンズ保持用リム，テンプル，鼻パット、および該両リム間連結用のブリッジを備えている。
そして該レンズは、上部又は下部の小玉部分に配された度付きの近用視部と、度付きの遠用視部とからなる。
該眼鏡フレームは、上下を逆に反転使用可能、つまり上下掛け替え装着可能となっている。
もって掛け替え装着により、下部に位置した該レンズの近用視部にて、下位に位置する対象を視認可能であると共に、上部に位置した該レンズの遠用視部にて、上位に位置する対象を視認可能となっている。
かつ掛け替え装着により、上部に位置した該レンズの近用視部にて、上位に位置する対象を視認可能であると共に、下部に位置した該レンズの遠用視部にて、下位に位置する対象を視認可能となっていること、を特徴とする。
【００１１】
請求項２については、次のとおり。
請求項２の眼鏡フレームは、請求項１において、該レンズは、度付きの遠用視部に換え、度無しの遠用視部が用いられていること、を特徴とする。
請求項３については、次のとおり。
請求項３の眼鏡フレームでは、請求項１又は２において、該レンズは、近用視部と遠用視部について、両方が無色であるか、又は、いずれか一方が無色で他方が一色カラー付であるか、又は、両方が同一の一色カラー付であるか、又は、両方が異なるカラー付であること、を特徴とする。
請求項４については、次のとおり。
請求項４の眼鏡フレームでは、請求項３において、一色カラーとは、色の濃度も同一であるものを示す。異なるカラーとは、同一色ではあるが色の濃度が異なるものも含むこと、を特徴とする。
【００１２】
請求項５については、次のとおり。
請求項５の眼鏡フレームでは、請求項１又は２において、該テンプルは、該レンズ面に対する角度が、９０度プラスマイナス４度以内に設定されていること、を特徴とする。
請求項６については、次のとおり。
請求項６の眼鏡フレームでは、請求項１又は２において、該鼻パットの取付け保持用のクリングス治具が、該レンズ面に対し、上下向きではなく左右向きに配設されていること、を特徴とする。
請求項７については、次のとおり。
請求項７の眼鏡フレームでは、請求項１又は２において、該鼻パットの取付け保持用のクリングス治具は、先端に開口ボックスを備えており、該開口ボックス内に該鼻パットの取付部分が挿入されてネジ止される。
そして、該開口ボックスと該取付部分とは、前述したように該眼鏡フレームを上下逆に反転使用した際、掛け替え装着に違和感がなくスムーズにフィットするように、該鼻パットが、上下左右に自在に可動となる設定よりなる。
すなわち、該開口ボックスと該取付部分について、両者間のクリアランスが十分に確保されると共に、両者の接触箇所にはアール加工が施されており、かつ該開口ボックスの深さ寸法が、内径寸法より若干大きい程度の浅めよりなること、を特徴とする。
【発明の効果】
【００１３】
《第１の効果》
第１に、上下を逆に反転使用することにより、つまり上下掛け替えにより、多様な用途に使用可能である。
本発明の眼鏡フレームを採用した眼鏡は、眼鏡フレームによる上下掛け替え装着にて、レンズの度付きの近用視部および度付きや度無しの遠用視部を介し、多様な用途に使用可能である。
すなわち、レンズの近用視部の上下反転使用により、つまり、次の２タイプの上下掛け替え装着を、適宜必要に応じて実施することにより、多種多様な特殊用途，特殊作業，その他に、最適使用可能となる。
【００１４】
まず、上下掛け替え装着にて、レンズ下部に位置した近用視部により、手元の下位に位置する対象を、確実に視認可能となる。
このタイプでの使用は、例えば、パソコン操作，携帯操作，新聞・読書，精密検査作業，和洋裁，事務，運転等々、手元の下位を下眼で視認する場面が多い場合に、適している。勿論、レンズ上部の遠用視部による遠方その他の視認も、適宜行われる。
他方、上下掛け替え装着にて、レンズ上部に位置するようになった近用視部により、手元の上位に位置する対象を、確実に視認可能となる。
このタイプでの使用は、例えば、桃やブドウ等の果物栽培作業，天井工事，建築工事，自動車整備，高所作業，電気工事，釣り，ゴルフ，パイロット，画家等々、手元の上位を上眼で視認する場面が多い場合に、適している。勿論、レンズ下部の遠用視部による遠方その他の視認も、適宜行われる。
【００１５】
《第２の効果》
第２に、しかもこのような掛け替え装着は、簡単容易に違和感なくスムーズに実現可能である。
本発明の眼鏡フレームは、上述したように、１本の眼鏡の１本のフレームにより、上述した眼鏡の上下掛け替え装着を可能とする。小玉部分の度付の近用視部と、度付きや度無しの遠用視部からなるレンズを使用することにより、１本でありながら多様な用途の眼鏡が実現される。
そして、この眼鏡フレームは、このようなレンズの使用と共に、ブリッジやテンプル等の高さ位置設定、テンプルの角度設定、鼻パットのクリングス治具の左右向き配設、鼻パットを上下左右に可動自在とした構成、等々の採用により、眼鏡の上下掛け替え装着が、簡単な構成により、容易かつ違和感なく実現される。
【００１６】
すなわち、前述したこの種従来例のように、眼鏡の個別購入を要しコスト負担増となることもなく、コスト面に優れている。そして、上下掛け替え装着しても、スムーズにフィットし外観もスマートである等々、見栄え面にも優れている。
そして従来例のように、個別に準備した眼鏡を、視認対象に応じ、取り替えて掛け替え装着することを要せず、面倒さや煩わしさが解消される。１本の眼鏡，１本の眼鏡フレームで、多様な用途に対応可能である。
このように、この種従来例に存した課題がすべて解決される等、本発明の発揮する効果は、顕著にして大なるものがある。
【図面の簡単な説明】
【００１７】
【図１】本発明に係る眼鏡フレームについて、発明を実施するための形態の説明に供する。そして（１）図は、その一つの使用例の正面図、（２）図は、他の使用例の正面図である。
【図２】同発明を実施するための形態の説明に供する。そして（１）図は、その平面図、（２）図は、側面図である。
【図３】（１）図，（２）図は、同発明を実施するための形態の説明に供する。そして（１）図は、クリングス治具（左）の平面図、（２）図は、同側面図である。  （３）図，（４）図は、この種従来例のクリングス治具（左）の説明に供する。そして（３）図は、正面図、（４）図は側面図である。  （５）図，（６）図，（７）図は、同発明を実施するための説明に供する。そして（５）図は、鼻パットの正面図，（６）図は、同側面図，（７）図は、斜視図である。
【発明を実施するための形態】
【００１８】
以下、本発明を実施するための形態について、詳細に説明する。
《本発明の概要》
まず、本発明の概要について、図１，図２を参照して説明する。
この眼鏡Ｇ用の眼鏡フレーム１は、左右のレンズＡ保持用リム２，テンプル３，鼻パット４，および両リム２間連結用のブリッジ５を備えている。
レンズＡは、上部又は下部の小玉部分Ｂに配された度付きの近用視部Ｃと、度付き又は度無しの遠用視部Ｄと、からなる。
そして、この眼鏡フレーム１は、上下を逆に反転使用可能、つまり上下掛け替え装着可能となっている。すなわち、この眼鏡フレーム１を採用した１本の眼鏡Ｇは、眼鏡フレーム１による上下掛け替え装着により、レンズＡの近用視部Ｃを、上下反転使用可能となっている。
本発明の概要については、以上のとおり。以下、このような眼鏡フレーム１について、詳述する。
【００１９】
《レンズＡについて》
まず、この眼鏡Ｇにおいて、眼鏡フレーム１と共に用いられるレンズＡについて、図１を参照して説明する。このレンズＡは、近用視部Ｃと遠用視部Ｄとからなり、一般のものと同様、ガラス製又はプラスチック製よりなる。
そして、レンズＡの近用視部Ｃは度付きよりなり、いわゆる老視用（老眼用）であり、レンズＡの上部又は下部の小玉部分に配される。
レンズＡの遠用視部Ｄは、度付き又は度無しよりなり、度付きの遠用視部Ｄは、いわゆる近視用（近眼用）や遠視用であり、度無しの遠用視部Ｄは、いわゆる素通しレンズを意味する。
【００２０】
又、レンズＡは、透明な無色レンズ（クリアレンズ）と、色付きのカラーレンズとに分類される。そこで、上述した度付きの近用視部Ｃと、度付き又は度無しの遠用視部Ｄとについても、次の（イ），（ロ），（ハ），（ニ）等の各タイプが存する。
すなわち、（イ）両方共に無色クリアタイプ、（ロ）そのいずれか一方が無色クリアで他方が同一の一色カラー付タイプ（いわゆるハーフカラータイプ）、（ハ）両方共に同一一色カラー付タイプ、（ニ）両方が異なるカラー付タイプ（いわゆるダブルカラータイプ）、等が存する。
なお、同一一色カラーとは、色の濃度も同一であるものを示す。異なるカラーとは、同一色ではあるが色の濃度が異なるものも含む。
レンズＡについては、以上のとおり。
【００２１】
《リム２，ブリッジ５，テンプル３等について》
次に、この眼鏡フレーム１のリム２，テンプル３，ブリッジ５等について、図１，図２を参照して説明する。
これらの部材は、従来の一般的なものと同様、金属製又はプラスチック製よりなる。まず左右のリム２は、それぞれレンズＡ外側を保持する。
ブリッジ５は、左右のリム２間を連結する。そして、ブリッジ５を含め眼鏡フレーム１が、全体的に上下逆に反転使用されることに鑑み、従来の一般的なブリッジとは異なり、レンズＡそしてリム２について、上下方向中央付近の高さ位置で、その左右両者間を連結する。
左右のテンプル３（つる部）は、ヒンジ６（蝶番）やヨロイ７を介し、リム２に取付けられている。リム２の左右端が、それぞれ縦を軸に９０度後方に向けて折曲され、もってヨロイ７，ヒンジ６を介し、それぞれテンプル３の取付端である基端に、取付けられている。
【００２２】
そしてテンプル３は、眼鏡フレーム１が、テンプル３を含め全体的に上下逆に反転使用されることに鑑み、一般的なテンプルとは異なり、まず、リム２の上下方向中央付近の高さ位置に対し、ヒンジ６やヨロイ７を介して取付けられている。
これと共にテンプル３は、レンズＡ面に対する角度αが、図２の（２）図に示したように、９０度プラスマイナス４度以内に設定されている。
すなわち９０度がベストであるが、９０度から上下方向へプラスマイナス２度でもベターであり、９０度から上下方向へプラスマイナス４度でも可能である。図示例では、下方向へマイナス２度となっている。
因に、従来の一般的なテンプルは、そのレンズ面に対する角度αは、９０度から下方向へ７度〜８度程度となっていた。図中８は、テンプル３の自由端に延設された耳あて部分である。
リム２，ブリッジ５，テンプル３等については、以上のとおり。
【００２３】
《鼻パット４，クリングス治具９について》
次に、この眼鏡フレーム１の鼻パット４とクリングス治具９について、図２の（１）図，図３の各図等を参照して、説明する。
まず、クリングス治具９（蝶足）は、鼻パット４（鼻当て）を取付け保持する。すなわち、左右のクリングス治具９は、湾曲された径1ｍｍ程度の線材よりなり、直線長さで約７ｍｍ程度よりなる。そして、それぞれ基端が、ブリッジ５の左右位置、又は左右リム２の中央端側の上下方向中央付近の高さ位置に、取付け固定されている。
そして、左右のクリングス治具９は、それぞれ先端の自由端に、開口ボックス１０を備えている。もって、開口ボックス１０の挿入穴１１内に、それぞれ、左右の鼻パット４の取付部分１２が挿入されて、ネジＳにてネジ止めされるようになっている。
図中１３は、開口ボックス１０に穿設された、ネジ止め用のネジ孔である。１４は、鼻パット４の取付部分１２に穿設された、ネジ止め用のネジ孔である。
【００２４】
そして、このクリングス治具９と鼻パット４は、これらを含め眼鏡フレーム１が、全体的に上下逆に反転使用されることに鑑み、上下掛け替え装着時に違和感なくスムーズにフィットするように、次のような各工夫が施されている。
まず、クリングス治具９は、レンズＡ面に対し、上下向きではなく左右向きに配設されている。すなわち、図３の（１）図の平面図と（２）図の側面図に示したように、クリングス治具９は、上下方向に傾き傾斜することなく、水平面に沿い左右方向にのみ延伸されている。
因に、従来の一般的なクリングス治具１５は、図３の（３）図の正面図と（４）図の側面図に示したように、必ず垂直面等に沿い上下方向に延伸される部分が存していた。１６は、このような従来例のクリングス治具１５の開口ボックスである。
【００２５】
次に、クリングス治具９の開口ボックス１０と、鼻パット４の取付部分１２とは、反転使用，掛け替え装着に際し、鼻パット４の本体部１７が、上下左右に動き易く自在に可動となる設定よりなる（図３の（１）図，（２）図，および（５）図，（６）図，（７）図等を参照）。
すなわち、次の（イ），（ロ），（ハ）の設定が、採用されている。（イ）クリングス治具９側の開口ボックス１０内面と取付部分１２との間のクリアランスＥが、十分に大きく確保、設定されている。
つまり、開口ボックス１０の挿入穴１１の内径寸法Ｈが、取付部分１２の外径寸法より、クリアランスＥ分だけ大きく設定されている。
（ロ）クリングス治具９側の開口ボックス１０と鼻パット４側の取付部分１２との接触箇所には、アール加工Ｆが施されている。
すなわち、開口ボックス１０の挿入穴１１の四隅や、取付部分１２の四隅等については、角張ることないようにアール加工Ｆが施されている。
（ハ）クリングス治具９側の開口ボックス１０の挿入穴１１は、浅めとなっている。つまり、挿入穴１１の深さ寸法Ｊが、内径寸法Ｈより若干大きい程度よりなる。
鼻パット４，クリングス治具９については、以上のとおり。
【００２６】
《作用等》
本発明の眼鏡フレーム１は、以上説明したように構成されている。そこで、以下の第１，第２ようになる。
第１に、この眼鏡フレーム１は、上下を逆に反転使用可能であり、この眼鏡フレーム１を採用した眼鏡Ｇは、上下掛け替え装着可能である。
もって、レンズＡの近用視部Ｃを、上下反転使用できるようになっている（図１の（１）図，（２）図を参照）。
【００２７】
すなわち、上下掛け替え装着により、下部に位置したレンズＡの近用視部Ｃにて、下位に位置する対象を視認可能であると共に、上部に位置したレンズＡ遠用視部Ｄにて、上位に位置する対象を視認可能である（図１の（１）図を参照）。
かつ上下掛け替え装着により、上部に位置したレンズＡの近用視部Ｃにて、上位に位置する対象を視認可能であると共に、下部に位置したレンズＡの遠用視部Ｄにて、下位に位置する対象を視認可能となる（図１の（２）図を参照）。
そして、このような２タイプ間の掛け替え装着は、適宜必要に応じ実施される。そこで、この眼鏡フレーム１を採用した眼鏡Ｇは、多種多様な特殊用途，特殊作業に、最適に使用される。
【００２８】
第２に、このような１本の眼鏡Ｇの上下掛け替え装着は、１本の眼鏡フレーム１の採用、および、小玉部分Ｂの度付き近用視部Ｃと度付きや度無しの遠用視部ＤとからなるレンズＡの使用とにより、簡単容易に実現される（図１を参照）。
【００２９】
しかも、このような上下掛け替え装着は、違和感なくスムーズに実現される。
すなわち、ブリッジ５やテンプル３の上下高さ位置の設定（図１を参照）や、テンプル３の角度αの設定（図２の（２）図を参照）や、クリングス治具９の左右向き配設（図３の（１）図，（２）図を参照）や、鼻パット４を上下左右に可動とする構成（図３の（１）図，（２）図，（５）図，（６）図，（７）図等を参照）、等々の工夫が、眼鏡フレーム１について採用されている。
このような眼鏡フレーム１の工夫により、眼鏡Ｇを上下掛け替え装着しても、違和感なくスムーズにフィットするようになる。
作用等については、以上のとおり。
【符号の説明】
【００３０】
１  眼鏡フレーム
２  リム
３  テンプル
４  鼻パット
５  ブリッジ
６  ヒンジ
７  ヨロイ
８  耳あて
９  クリングス治具（本発明）
１０  開口ボックス（本発明）
１１  挿入穴
１２  取付部分
１３  ネジ孔
１４  ネジ孔
１５  クリングス治具（従来例）
１６  開口ボックス（従来例）
１７  本体部
Ａ  レンズ  
Ｂ  小玉部分
Ｃ  近用視部
Ｄ  遠用視部
Ｅ  クリアランス
Ｆ  アール加工
Ｇ  眼鏡
Ｈ  内径寸法
Ｊ  深さ寸法
Ｓ  ネジ
α  角度
【図１】
2015232726.tif 000003
【図２】
2015232726.tif 000004
【図３】
2015232726.tif 000005